(57)【要約】【課題】給湯と風呂追い焚きを同時に行う場合において、給湯温度を低下させずに浴槽水温情報を得る。【解決手段】給湯路１０と浴槽に接続された風呂追い焚き路２０が共通の熱交換器を持つ一缶二水路式燃焼装置において、浴槽内の水を風呂追い焚き路２０内に導き、循環させる循環ポンプ２１と、風呂追い焚き路内に導かれた浴槽内の水の水温を測定する温度検出手段とを備え、燃焼が行われないときに、循環ポンプを駆動させ、浴槽内の水温を検出する。又、浴槽内の水を風呂追い焚き路内に導き、循環ポンプと、風呂追い焚き路内に導かれた浴槽内の水の温度検出手段と循環ポンプによる風呂追い焚き路内の水の循環量の制御手段とを備え、給湯中に風呂追い焚き要求が出されたとき、制御手段は、給湯温度が変化しない程度の循環量で循環ポンプを駆動させ、温度検出手段によって浴槽内の水の水温を検出する。【選択図】図１
2006250531.tif 000002
【特許請求の範囲】
【請求項１】
給湯路と浴槽に接続された風呂追い焚き路が共通の熱交換器を通過する一缶二水路式燃焼装置において、
該浴槽内の水を該風呂追い焚き路内に導き、循環させる循環ポンプと、
給湯要求及び風呂追い焚き要求の両方が出されたとき、給湯に必要な熱量、浴槽内の水温、前回の給湯と風呂追い焚きの同時使用時における風呂追い焚き路内の循環流量とに基づいて、風呂追い焚きの実行の可否を判断し、風呂追い焚きの実行可と判断した場合に、前記循環ポンプの駆動させる制御手段とを備えていることを特徴とする一缶二水路式燃焼装置。
【請求項２】
給湯路と浴槽に接続された風呂追い焚き路が共通の熱交換器を通過する一缶二水路式燃焼装置において、
該浴槽内の水を該風呂追い焚き路内に導き、循環させる循環ポンプと、
給湯要求及び風呂追い焚き要求の両方が出されたとき、給湯に必要な熱量、浴槽内の水温、風呂追い焚き路内の循環流量とに基づいて、前記風呂追い焚き路内の循環量を決定し、当該決定した循環量となるように前記循環ポンプを駆動させる制御手段とを備えていることを特徴とする一缶二水路式燃焼装置。
【請求項３】
請求項２において、
前記制御手段は、前記循環ポンプを駆動するのに供給されるパルス信号のデューティ比を調節することによって前記循環流量を制御することを特徴とする一缶二水路式燃焼装置。
【請求項４】
請求項３において、
前記制御手段は、前記給湯に必要な熱量が低いほど、又は前記浴槽水温が高いほど前記循環流量が増大するように、前記デューティ比を調節することを特徴とする一缶二水路式燃焼装置。
【請求項５】
請求項１において、
前記制御手段は、前回の給湯と風呂追い焚きの同時使用時における給湯に必要な熱量と風呂追い焚きに使われる熱量と前記熱交換器から出湯される給湯温度と、前記浴槽内の水温とに基づいて、前回の給湯と風呂追い焚きの同時使用時における循環流量を求めることを特徴とする一缶二水路式燃焼装置。
【請求項６】
請求項１乃至５のいずれかにおいて、
該風呂追い焚き路内に配置され、前記風呂追い焚き路内に導かれた前記浴槽内の水の水温を測定する温度検出手段を備え、
燃焼が行われていないときに、前記循環ポンプを駆動させ、前記温度検出手段によって前記浴槽内の水の水温を検出することを特徴とする一缶二水路式燃焼装置。
【請求項７】
請求項１乃至５のいずれかにおいて、
該風呂追い焚き路内に配置され、前記風呂追い焚き路内に導かれた前記浴槽内の水の水温を測定する温度検出手段と、
給湯中に風呂追い焚き要求が出されたとき、前記制御手段は、給湯温度が変化しない程度の循環量で前記循環ポンプを駆動させ、前記温度検出手段によって前記浴槽内の水の水温を検出することを特徴とする一缶二水路式燃焼装置。
【請求項８】
請求項１乃至５のいずれかにおいて、
該風呂追い焚き路内に配置され、前記風呂追い焚き路内に導かれた前記浴槽内の水の水温を測定する温度検出手段と、
給湯中に風呂追い焚き要求が出されたとき、該温度検出手段によって検出される前回の風呂追い焚き終了時における前記浴槽内の水温と、前回の風呂追い焚き終了時からの経過時間に基づいて、該風呂追い焚き要求が出されたときの前記浴槽内の水の水温を求める浴槽水温推定手段とを備えることを特徴とする一缶二水路式燃焼装置。
【請求項９】
請求項８において、
前記浴槽水温推定手段は、前記浴槽が設定された周囲の温度に応じて前記浴槽内の水温を補正することを特徴とする一缶二水路式燃焼装置。
【発明の詳細な説明】
【技術分野】
【０００１】
本発明は、給湯路と風呂追い焚き路が共通の熱交換器内を通過する一缶二水路式の燃焼装置に関するものである。
【背景技術】
【０００２】
いわゆる一缶二水式燃焼装置では、例えばシャワーなどに給湯するための給湯路と、風呂の追い焚きをするための風呂追い焚き路が同一の熱交換器を通過し、それらの中を通過する水を加熱する。このとき、従来から、給湯と追い焚きが同時に行われた場合、燃焼装置の機種によっては、熱交換器の最大燃焼熱量（最大号数）が小さいため、給湯と追い焚きを実行するのに、十分な熱量（号数）が得られない場合があった。このような場合、給湯温度が低下したり、所望の給湯量を確保できず、給湯使用者に不快感を与えるという問題があった。
【０００３】
そこで、上記問題を解決するために、例えば、給湯中に風呂追い焚き要求が出された場合、又は風呂追い焚き中に給湯要求が出された場合、さらに、給湯要求と風呂追い焚き要求が同時に出された場合のように、給湯と風呂追い焚きを同時に実行する必要があるときは、給湯を優先し、風呂追い焚きを禁止していた。
【０００４】
これにより、給湯に必要な熱量を確保することができるので、給湯温度を一定に保ち、且つ所望の給湯量を確保することができた。
【０００５】
しかしながら、これでは、給湯中は追い焚きが全くできず、給湯終了を待って追い焚きを開始するため、追い焚き要求から完了まで長時間を有するという問題を有していた。
【０００６】
そこで、さらに、この問題を解決するため、特開平６−１８５８０３号に記載の燃焼装置においては、給湯と風呂追い焚きを同時に実行する必要がある場合、給湯に必要な熱量（給湯要求号数）をあらかじめ演算し、この給湯要求号数が所定号数より小さい場合に限って、給湯と風呂追い焚きを同時に実行する。そして、このときの風呂追い焚き制御は、給湯要求号数を維持する範囲で、風呂追い焚き路に設けられた循環ポンプをデューティ制御することによって行われる。
【０００７】
さらに、特願平８−２５３７６１号に記載される燃焼装置においては、給湯要求号数に加えて、浴槽水温の情報をも考慮して給湯と風呂追い焚きの同時実行の可否を判断する。そして、その判断に基づいて循環ポンプをデューティ制御することによって風呂追い焚き制御を行う。従って、より正確な風呂追い焚き制御が可能となった。
【０００８】
そして、上記出願に記載されるとおり、給湯と風呂追い焚きの同時実行が可能であるか否かを判断するとき、浴槽水温情報を得るために、一旦、循環ポンプを駆動させ、浴槽の水を風呂追い焚き路に導き、風呂追い焚き路に設けられた浴槽水温センサによって浴槽水温が測定される。
【発明の開示】
【発明が解決しようとする課題】
【０００９】
しかしながら、このとき、浴槽の水を風呂追い焚き路に導いて浴槽水温を測定するために循環ポンプを駆動させると、風呂追い焚き路内を水が循環し、熱交換器内に冷たい水が流入する。そうすると、熱交換器内に入った水は熱交換を行うため、本来給湯に必要な熱量が消費されてしまう。従って、給湯温度が低下するおそれがある。
【００１０】
従って、本発明の目的は、給湯と風呂追い焚きを同時に行う場合において、給湯温度を低下させずに浴槽水温情報を得ることができる燃焼装置を提供することである。
【課題を解決するための手段】
【００１１】
上記目的を達成するための本発明の第一の構成は、給湯路と浴槽に接続された風呂追い焚き路が共通の熱交換器を通過する一缶二水路式燃焼装置において、該浴槽内の水を該風呂追い焚き路内に導き、循環させる循環ポンプと、給湯要求及び風呂追い焚き要求の両方が出されたとき、給湯に必要な熱量、浴槽内の水温、前回の給湯と風呂追い焚きの同時使用時における風呂追い焚き路内の循環流量とに基づいて、風呂追い焚きの実行の可否を判断し、風呂追い焚きの実行可と判断した場合に、前記循環ポンプの駆動させる制御手段とを備えていることを特徴とする一缶二水路式燃焼装置である。
【００１２】
また、本発明の第二の構成は、給湯路と浴槽に接続された風呂追い焚き路が共通の熱交換器を通過する一缶二水路式燃焼装置において、該浴槽内の水を該風呂追い焚き路内に導き、循環させる循環ポンプと、給湯要求及び風呂追い焚き要求の両方が出されたとき、給湯に必要な熱量、浴槽内の水温、風呂追い焚き路内の循環流量とに基づいて、前記風呂追い焚き路内の循環量を決定し、当該決定した循環量となるように前記循環ポンプを駆動させる制御手段とを備えていることを特徴とする一缶二水路式燃焼装置である。
【００１３】
また、本発明の第三の構成は、上記第二の構成において、前記制御手段は、前記循環ポンプを駆動するのに供給されるパルス信号のデューティ比を調節することによって前記循環流量を制御することを特徴とする一缶二水路式燃焼装置である。
【００１４】
また、本発明の第四の構成は、上記第三の構成において、前記制御手段は、前記給湯に必要な熱量が低いほど、又は前記浴槽水温が高いほど前記循環流量が増大するように、前記デューティ比を調節することを特徴とする一缶二水路式燃焼装置である。
【００１５】
また、本発明の第五の構成は、上記第一の構成において、前記制御手段は、前回の給湯と風呂追い焚きの同時使用時における給湯に必要な熱量と風呂追い焚きに使われる熱量と前記熱交換器から出湯される給湯温度と、前記浴槽内の水温とに基づいて、前回の給湯と風呂追い焚きの同時使用時における循環流量を求めることを特徴とする一缶二水路式燃焼装置。
【００１６】
また、本発明の第六の構成は、上記第一乃至第五の構成のいずれかにおいて、該風呂追い焚き路内に配置され、前記風呂追い焚き路内に導かれた前記浴槽内の水の水温を測定する温度検出手段を備え、燃焼が行われていないときに、前記循環ポンプを駆動させ、前記温度検出手段によって前記浴槽内の水の水温を検出することを特徴とする一缶二水路式燃焼装置である。
【００１７】
また、本発明の第七の構成は、上記第一乃至第五の構成のいずれかにおいて、該風呂追い焚き路内に配置され、前記風呂追い焚き路内に導かれた前記浴槽内の水の水温を測定する温度検出手段と、給湯中に風呂追い焚き要求が出されたとき、前記制御手段は、給湯温度が変化しない程度の循環量で前記循環ポンプを駆動させ、前記温度検出手段によって前記浴槽内の水の水温を検出することを特徴とする一缶二水路式燃焼装置である。
【００１８】
また、本発明の第八の構成は、上記第一乃至第五の構成のいずれかにおいて、該風呂追い焚き路内に配置され、前記風呂追い焚き路内に導かれた前記浴槽内の水の水温を測定する温度検出手段と、給湯中に風呂追い焚き要求が出されたとき、該温度検出手段によって検出される前回の風呂追い焚き終了時における前記浴槽内の水温と、前回の風呂追い焚き終了時からの経過時間に基づいて、該風呂追い焚き要求が出されたときの前記浴槽内の水の水温を求める浴槽水温推定手段とを備えることを特徴とする一缶二水路式燃焼装置である。
【００１９】
また、本発明の第九の構成は、上記第八の構成において、前記浴槽水温推定手段は、前記浴槽が設定された周囲の温度に応じて前記浴槽内の水温を補正することを特徴とする一缶二水路式燃焼装置である。
【発明の効果】
【００２０】
本発明によれば、給湯要求と風呂追い焚き要求の両方が出されたとき、風呂追い焚きの実行の可否を判断する際に必要な浴槽水温の情報を、給湯中の給湯温度を低下させることなく得ることができる。
【００２１】
そして、この浴槽水温情報を用いることにより、給湯と風呂追い焚きの同時使用の可否をより正確に行うことができる。また、同時使用時において、給湯温度が低下しない範囲の最適な風呂追い焚き号数で風呂追い焚きを実行することができる。
【発明を実施するための最良の形態】
【００２２】
以下、本発明の実施の形態について図面に従って説明する。しかしながら、本発明の技術的範囲がこの実施の形態に限定されるものではない。
【００２３】
図１は、一缶二水路式燃焼装置の概略構成図である。図１において、給湯路１０と風呂追い焚き路２０は、共通の熱交換器１を通過する。熱交換器１は、バーナー３によって加熱され、バーナー３には、ガス供給管４から燃料ガスが供給される。ガス供給管４には、このガス供給管４の開閉を行うガス電磁弁５とガス供給量を調節するガス比例弁６が設けられている。
【００２４】
給湯路１０は、熱交換器１の入口側に接続され、熱交換器１に水を供給する給水通路として機能する給水管１１と、熱交換器１の出口側に接続され、熱交換器１によって加熱された湯が出湯される出湯管１２が接続され、例えば台所の給湯栓１６などの所望の場所に導かれる。
【００２５】
そして、給水管１１には、給水量を検出するフローセンサ１３と、給水温度を検出する給水温度センサ１４とが設けられている。また、給湯管１２には、給湯温度を検出する給湯温度センサ１５が設けられている。
【００２６】
一方、風呂追い焚き路２０は、そこに配置された循環ポンプ２１を作動させることによって浴槽２２内の水を熱交換器１に供給し、熱交換器１内で加熱された湯は再度浴槽２２に注湯される循環路を構成している。
【００２７】
そして、熱交換器１より上流側の風呂追い焚き路２０には、浴槽２２内の水温を検出する浴槽水温センサ２３と設けられている。また、熱交換器１より下流側の風呂追い焚き路２０には、熱交換器１から出湯される湯の温度を検出する追い焚き温度センサ２４が設けられている。
【００２８】
そして、上記各種センサから検出される温度及び流量とリモコン３１などによって設定される設定温度とに基づいて、マイクロコンピュータなどで構成される制御部３０が、ガス電磁弁５、ガス比例弁６及び循環ポンプ２１などを制御する。
【００２９】
例えば、給湯単独使用時においては、給湯使用者が給湯栓１６を開くと、給水管１１に一定量以上の流量の水流が発生する。そして、フローセンサ１３がこの水流を検出すると、制御部３０はフローセンサ１３からの検出信号即ち給湯要求に応答して、ガス電磁弁５を開き、設定温度の給湯を行うのに必要な熱量（給湯要求号数）が供給されるように、ガス比例弁６の開度を制御し、バーナー３への供給ガス量を制御する。これにより、設定温度の給湯が行われる。このときに供給される熱量（給湯号数）は、比例弁６の開度を調節するための比例弁電流値から求めることができる。
【００３０】
また、給湯号数Ｇ１は、次式によっても求めることができる。
【００３１】
Ｇ１＝Ｑ１・（Ｔo −Ｔi ） ・・・（１）
なお、Ｑ１はフローセンサ１３によって検出される給水量、Ｔi は給水温度センサ１４によって検出される給水温度、Ｔo は給湯温度センサ１５によって検出される給湯温度である。
【００３２】
また、風呂追い焚き単独使用時においては、リモコン３１などに設けられた図示しない風呂追い焚きスイッチがＯＮにされ、風呂追い焚き要求が出されると、制御部３０は、これに応答して、循環ポンプ２１を駆動することにより浴槽２２の水を風呂追い焚き路２０内を循環させる。そして、ガス電磁弁５を開き、ガス比例弁６の開度を全開にして、バーナー３にガスを供給する。これにより、風呂追い焚きが実行される。ガス比例弁６の開度が全開にされた場合は、燃焼装置の最大号数Ｇmax での燃焼が行われる。また、比例弁６の開度は、全開でない所定の開度であってもよい。この場合の供給される熱量（風呂追い焚き号数）は、上述同様に、比例弁６の開度を調節するための比例弁電流値から求めることができる。
【００３３】
また、風呂追い焚き号数Ｇ２（Ｇmax を含む）は、次式によっても求めることができる。
【００３４】
Ｇ２＝Ｑ２・（Ｔf −Ｔy ） ・・・（２）
なお、Ｔf は追い焚き温度センサ２４によって検出される温度、Ｔy は浴槽温度センサ２３によって検出される温度である。
【００３５】
さらに、給湯と風呂追い焚きが同時に行われる場合（以下同時使用という）、即ち給湯中に風呂追い焚き要求が出されたとき、風呂追い焚き中に給湯要求が出されたとき、あるいは、給湯要求と風呂追い焚き要求が同時に出されたときは、給湯路１０と風呂追い焚き路２０の両方に水が流れ、それぞれを流れる水が熱交換器１で熱交換を行い加熱される。このとき、熱交換器１に供給される供給熱量（供給号数）Ｇは、比例弁６の開度を調節するための比例弁電流値から求められる。
【００３６】
図１は、熱交換器１の断面を示す図である。図２に示すように、バーナー側に設けられた給湯路１０に接して、バーナー側とは反対側に風呂追い焚き路２０が設けられる。従って、風呂追い焚き路２０内の水は、熱交換器１内の給湯路１０内にある湯水を熱媒体として風呂追い焚き路２０内の湯水を間接的に加熱される。このように、給湯路１０内の加熱された湯水の熱量が、風呂追い焚き路２０を流れる湯水に伝熱する。このとき、同時使用時に熱交換器１に供給された熱量（供給号数）Ｇのうち、給湯路１０内の水が得た熱量（給湯号数）Ｇ１と風呂追い焚き路２０内の水が得た熱量（風呂追い焚き号数）Ｇ２の比を分配比という。例えば、最大号数が２４号の燃焼装置がその最大号数２４号の熱量（号数）を供給して同時使用を行っている場合に、風呂追い焚き路２０内の水が８号の熱量（号数）を得ているときの分配比はＧ１：Ｇ２＝１６：８となる。
【００３７】
このとき、風呂追い焚き路２０内を流れる流量が大きいほど、又は浴槽２２内の温度が低く、風呂追い焚き路２０内の水の温度が低いほど、給湯路１０からより多くの熱量が風呂追い焚き路２０内の水に伝熱する。従って、このような場合は、上記分配比において、風呂追い焚き号数Ｇ２が大きくなり、給湯号数Ｇ１は小さくなる。このため、同時使用の場合には、燃焼装置の機種によって、その最大号数の熱量を熱交換器１に与えても、給湯路１０内の水が必要な給湯要求号数Ｇs を得ることができず、給湯温度を設定温度に維持することができない場合がある。例えば、最大号数２４号の燃焼装置において、給湯要求号数Ｇs が１６号であるにもかかわらず、風呂追い焚き号数Ｇ２が９号である場合は、給湯号数Ｇ１が１５号となり、給湯路１０内の水が給湯要求号数Ｇs の熱量を得られなくなる。
【００３８】
このような場合は、従来技術において説明したように、給湯を優先しつつ、できるだけ給湯と風呂追い焚きを同時に実行できるような制御を行う必要がある。そこで、本発明の実施の形態においては、同時使用の場合における制御を以下のように行う。即ち、本発明の実施の形態においては、設定温度の給湯を行うのに必要な給湯要求号数Ｇs に加えて、浴槽２２の水温及び風呂追い焚き路２０内の循環流量に基づいて、風呂追い焚きの実行の可否が判断され、その判断に基づいた風呂追い焚き制御が行われる。
【００３９】
図３は、風呂追い焚きの可否を判断を行うための図である。図において、縦軸は給湯号数Ｇ１を示し、横軸はリモコン３１などにより設定される給湯設定温度Ｔs を示す。この横軸の設定温度Ｔs は、後述するように上記分配比に対応する値である。そして、図には、さらに、風呂追い焚き路２０を循環する水の湯量Ｑ２と浴槽２２内の水温Ｔy に対応した複数のラインａ乃至ｆが示され、この各ラインは風呂条件を表す。
【００４０】
このような図において、風呂追い焚きの実行の可否の判断は以下のように行われる。まず、風呂条件である浴槽温度Ｔy 及び循環流量Ｑ２を、後述する方法で求め、得られた風呂条件に対応するラインを選択する。例えば、給湯中に風呂追い焚き要求が出されたとき、風呂追い焚き路２０の循環流量Ｑ２が４リットル／分、浴槽水温Ｔy が４０度である場合は、ラインａが選択される。
【００４１】
次に、給湯中の給湯号数Ｇ１と設定温度Ｔs を図上の交点として求める。例えば、給湯号数Ｇ１が１７号、設定温度Ｔs が５６度である場合の交点は点Ｐとして求められる。
【００４２】
そして、その交点が、上記風呂条件に対応するラインより上側にあるか下側にあるかが判断される。そして、その交点が所定ラインより上側にある場合は、風呂追い焚きが禁止され、交点が所定ラインより下側にある場合は、風呂追い焚きが許可される。
【００４３】
即ち、図３中の各ラインは、それぞれの風呂条件下での最大燃焼能力時における給湯設定温度Ｔs に対する最大給湯号数をプロットしたものであり、要求される給湯号数Ｇ１がラインより下にないと給湯路１０側に必要な熱量を分配することができないことを意味する。
【００４４】
これは、交点が各ラインよりも上の領域にある場合は、燃焼装置の最大号数Ｇmax で燃焼が行われても、風呂追い焚きによって生じる給湯路１０側から風呂追い焚き路２０側への伝熱量（風呂追い焚き号数Ｇ２）が大きいため、給湯路１０内の水が得る熱量（給湯号数Ｇ１）が給湯要求号数Ｇs より小さくなり、給湯温度Ｔo を設定温度に維持出来なくなるからからである。
【００４５】
一方、交点が所定ラインより下の領域にある場合は、風呂追い焚き路２０内に浴槽の水を循環させて風呂追い焚きを行うことによって、上記同様、給湯路１０内の水の得る熱量（給湯号数Ｇ１）は減少するが、設定温度Ｔs を維持する給湯要求号数Ｇs は得られるので、風呂追い焚きが許可される。
【００４６】
例えば、上記点Ｐはラインａより上側にあるので、給湯温度Ｔo を設定温度Ｔs である５６度に維持できないとして、風呂追い焚きは禁止される。
【００４７】
一方、交点が、例えば、給湯号数Ｇ１が１５号、設定温度Ｔs が４２度の点Ｑである場合は、風呂追い焚き路２０に浴槽の水を循環させ、給湯路１０側の熱量が風呂追い焚き路２０側に伝熱しても、設定温度Ｔs の給湯を維持できるとして、風呂追い焚きは許可される。
【００４８】
さらに、風呂条件がラインｆである場合、即ち風呂追い焚き路２０の循環流量Ｑ２が６リットル／分、浴槽水温Ｔy が１８度の場合であって、交点が、例えば、給湯号数Ｇ１が１５号、設定温度Ｔs が４２度である点Ｑである場合は、上記風呂条件がラインａであるときと異なり、風呂追い焚きが実行されることにより、給湯温度を設定温度である４２度に維持できないと判断され、風呂追い焚きは禁止される。これは、ラインａよりラインｆの風呂条件の循環流量Ｑ２が多く、また、浴槽水温Ｔy も低いため、給湯路１０側から風呂追い焚き路２０側へ伝熱する熱量がより多くなるからである。即ち、風呂追い焚き号数Ｇ２が大きくなる。
【００４９】
一方、風呂条件がラインｆであっても、交点が、例えば、給湯号数Ｇ１が１２号、設定温度Ｔs が４０度の点Ｒである場合は、風呂追い焚き路２０に浴槽の水を循環させ、給湯路１０側の熱量が風呂追い焚き路２０側に伝熱しても、設定温度Ｔs の給湯を維持できるとして、風呂追い焚きは許可される。
【００５０】
ここで、図示される複数のラインが設定温度Ｔs の上昇に応じて右下がりであるのは以下の理由による。
【００５１】
即ち、設定温度Ｔs が高いほど給湯路１０内を流れる水の温度は高くなる。従って、風呂追い焚き路２０内の水温が一定ならば、風呂追い焚き路２０内を流れる水の水温との温度差が大きくなる。風呂追い焚き路２０内の水への伝熱量（即ち、風呂追い焚き号数Ｇ２）は、この温度差が大きいほど大きい。そのため、設定温度Ｔs が高いほど風呂追い焚き号数Ｇ２が大きくなるので、同じ給湯号数Ｇ１であっても、同時使用時に多くの供給熱量を必要とする。従って、燃焼装置の最大号数Ｇmax を超えない範囲で給湯要求号数Ｇs の熱量を維持するために、給湯号数Ｇ１を小さくする必要があり、図に示すようにラインａ乃至ｆは右下がりの傾きとなる。
【００５２】
このように、給湯要求と風呂追い焚き要求の両方が出されたときの風呂追い焚き実行の可否を、給湯号数Ｇ１に加えて、風呂条件、即ち浴槽２２内の水温Ｔy及び風呂追い焚き路２０を循環する流量Ｑ２に基づいて判断することにより、より正確な風呂追い焚き制御が可能となる。そして、図３に示した関係は、制御部３０に設けられた記憶手段にテーブルとして記憶される。
【００５３】
さらに、図３においては、上述の通り、風呂条件を示すラインが所定間隔で複数示されているが、このラインは、給湯路１０側から風呂追い焚き路２０側への伝熱量（風呂追い焚き号数Ｇ２）が最大及び最小となると想定される風呂条件の範囲内で任意の位置のラインを選択することが可能である。例えば、図３において、伝熱量が最大となる風呂条件はラインｆであり、伝熱量が最小となる風呂条件はラインａである場合、ラインａ乃至ラインｆの間に存在する風呂条件は、設定されている複数のラインに基づいて制御部３０での補間演算などにより求めてもよい。
【００５４】
また、図３に示すラインａより上のＡ領域においては、風呂追い焚き号数Ｇ２が最小である場合も風呂追い焚きが禁止される。また、図３に示すラインｆより下のＣ領域においては、風呂追い焚き号数Ｇ２が最大である場合も風呂追い焚きが許可される。従って、上記図３における給湯号数と給湯設定温度の交点が、Ａ領域又はＣ領域である場合は、風呂条件（各ライン）と比較することなく、無条件に風呂追い焚きをそれぞれ禁止又は許可してもよい。そして、上記交点がラインａとラインｆとの間のＢ領域である場合に、風呂条件（各ライン）との比較を行い、風呂追い焚きの可否が判断される。
【００５５】
次に、同時使用時における上記風呂条件である浴槽２２内の水温Ｔy と風呂追い焚き路２０内の循環流量Ｑ２の検出方法について説明する。
【００５６】
まず、第一の検出方法は、浴槽２２内の水温（以下浴槽水温という）Ｔy は、上述のように循環ポンプ２１を駆動させ、浴槽２２内の水を風呂追い焚き路２０内に導き、浴槽水温センサ２３により検出される。しかし、給湯中に追い焚き要求が出されたときに、循環ポンプ２１を駆動させると、熱交換器１内の風呂追い焚き路２０に冷たい水が流れることにより、熱交換器１内において給湯路１０側から風呂追い焚き路２０側への伝熱により、給湯温度が低下するという不都合が生じる。
【００５７】
従って、本発明の実施の形態においては、燃焼が行われていないときに、例えば一定時間毎に循環ポンプ２１を駆動させ、浴槽水温Ｔy を随時検出し、その値を制御部３０の記憶手段に記憶させる。
【００５８】
これにより、風呂追い焚き指令が出されたときに、循環ポンプ２１を駆動させる必要がなく、給湯温度Ｔo への影響を排除することができる。
【００５９】
また、第二の検出方法として、給湯中に風呂追い焚き要求が出されたときの浴槽水温Ｔy を浴槽水温センサ２３によって検出するために、循環ポンプ２１を給湯温度Ｔo に影響しないように駆動させることによって、浴槽２２内の水を風呂追い焚き路２０に導き、浴槽水温センサ２３によって検出してもよい。具体的には、熱交換器１内に流入する冷たい水が、給湯温度Ｔo に影響しない所定量（例えば熱交換器１内の風呂追い焚き路２０の容積の半分）以下になるように循環ポンプ２１の駆動を制御する。さらに詳しくは、例えば、熱交換器１内の風呂追い焚き路２０の半分以下の容積に、冷たい水を流入させ、一時循環ポンプ２１を止めて、流入した水が加熱昇温した後、再び循環ポンプ２１を駆動する。又は、流入した冷たい水が熱交換器１を通って昇温が終了つまり平衡に達する位置が熱交換器１内の風呂追い焚き路２０のほぼ半々以下になるように循環ポンプ２１を駆動する。なお、循環ポンプの駆動は例えばデューティ制御により制御される。
【００６０】
さらに、第三の検出方法として、浴槽水温Ｔy は、前回の風呂追い焚き（同時使用時を含む）終了時における浴槽水温Ｔy と、その水温の時間に対するあらかじめ求められた変化率より予測することも可能である。具体的には、風呂追い焚き終了後に徐々に下降する浴槽水温Ｔy の変化率をあらかじめ実験などにより求め、上記記憶手段に記憶させる。そして、給湯中に追い焚き指令が出されたとき、この変化率と前回の風呂追い焚き終了時からの経過時間とに基づいて、制御部３０が今回の風呂追い焚き要求が出されたときの浴槽水温Ｔy を求める。
【００６１】
この変化率は、外気温度や季節などにより変動するので、例えば、器具内に取り付けられた給気温度を測定する外気温サーミスタや浴室リモコンに付けられた温度センサ等の情報により、変動要素を考慮した所定の補正を行うことが好ましい。
【００６２】
一方、風呂追い焚き路２０内の循環流量Ｑ２は、前回の同時使用時に熱交換器１に供給された号数Ｇに基づいて、以下に示す（４）式によって求めることが可能である。この供給号数Ｇは、比例弁６の開度を調節する比例弁電流の値から求めることができる。また、供給号数Ｇについては次の（３）式が成立する。
【００６３】
Ｇ＝Ｑ１（Ｔo −Ｔi ）＋Ｑ２・（Ｔf −Ｔy ） ・・・（３）
なお、Ｑ１はフローセンサ１３によって検出される給水量、Ｔi は給水温度センサ１４によって検出される給水温度、Ｔo は給湯温度センサ１５によって検出される給湯温度である。また、Ｑ２は風呂追い焚き路２０内を流れる循環流量、Ｔf は追い焚き温度センサ２４によって検出される温度、Ｔy は浴槽温度センサ２０によって検出される温度である。
【００６４】
従って、上記（３）式より、求めるべき循環流量Ｑ２は、
Ｑ２＝（Ｇ−Ｑ１（Ｔo −Ｔi ））／（Ｔf −Ｔy ） ・・・（４）
によって求められる。求められた循環流量Ｑ２は上記記憶手段に記憶され、次回の同時使用時に読み出される。
【００６５】
また、図１に示した燃焼装置において、追い焚き温度センサ２４が設けられていない機種が存在する。このような場合は、上記（４）式から循環流量Ｑ２を演算することができないので、前回同時使用時における循環流量を以下に述べる方法により推定し、その循環流量を記憶手段に記憶し、それを次回の同時燃焼時に使用する。ここで、図４は、循環流量Ｑ２の推定方法を説明するための図であって、図４（ａ）は比例弁電流値と燃焼装置の供給号数Ｇの関係を示す図、図４（ｂ）は図３と同様の給湯号数Ｇ１及び給湯設定温度Ｔs と風呂条件の関係を示す図、図４（ｃ）は図各ラインの浴槽水温Ｔy と循環流量Ｑ２の関係を示す図である。
【００６６】
（i ）まず、前回同時使用時の供給号数Ｇを、図４（ａ）に示した比例弁６の開度を調節する比例弁電流の値から求める。例えば、比例弁電流値が１００ｍＡであるときは供給号数Ｇは１８号である。
【００６７】
（ii）給湯号数Ｇ１を上記式（１）式より求める。例えば、給湯温度Ｔo が４６度、給水温度Ｔi が２１度、流量Ｑ１が１３リットルである場合の給湯号数Ｇ１は１３号である。
【００６８】
（iii）その結果、風呂追い焚き号数Ｇ２を、供給号数Ｇから求めた給湯号数Ｇ１を減算することにより求める（Ｇ２＝Ｇ−Ｇ１）。
【００６９】
（iv）図４（ｂ）上に、求められた給湯号数Ｇ１と給湯温度Ｔo との交点（図４（ｂ）中の点Ｍ）をプロットする。なお、給湯温度Ｔo は給湯設定温度Ｔs になるように制御されるので、両者はほぼ等しい。
【００７０】
（v ）プロットされた交点上を通過するラインを選択する。例えば、図４（ｂ）においては、ラインｆが選択される。ここで、ラインｆは、給湯号数Ｇ１と風呂追い焚き号数Ｇ２と給湯温度Ｔo が与えられたときに浴槽温度Ｔy と循環流量Ｑ２と追い焚き温度Ｔf のある組み合わせ群に対応する。そして、その組み合わせ群は、浴槽水温Ｔy が与えられると、１組の循環流量Ｑ２と出湯温度Ｔf がユニークに決まる。これは、一缶二水路式燃焼装置を同時使用しているからである。従って、各ラインにおける循環流量Ｑ２と浴槽水温Ｔy の関係は、図４（ｃ）に示すように、風呂追い焚き号数Ｇ２になるような循環流量Ｑ２と浴槽水温Ｔy の組み合わせで表すことができる。そして、浴槽水温Ｔy は、同時使用開始前に上述の方法から測定されており、既知である。従って、図４（ｃ）から対応する循環流量Ｑ２が求められる。例えば、浴槽水温Ｔy が１８度であるとき、ラインｆにおける循環流量Ｑ２は６リットルである。
【００７１】
循環流量Ｑ２は、循環ポンプ２１を駆動させるのに供給される駆動電圧が同じ値であっても、燃焼装置の設置状態及びゴミづまりなどの経年変化によって異なる。従って、上記のような演算式を用いて、同時使用が行われるごとに測定することによって正確な循環流量を求めることができる。即ち、同時使用時における給湯号数Ｇ１、風呂追い焚き号数Ｇ２、給湯温度Ｔo 及び浴槽水温Ｔy から循環流量Ｑ２が求められる。
【００７２】
図５は、上記本発明の実施の形態における同時使用時での風呂追い焚き制御のフローチャートの一例である。そして、図５のフローチャートは、給湯中に追い焚き要求が出された場合についての風呂追い焚き制御の例を示す。図５によれば、給湯中（Ｓ１）にリモコン３１などの追い焚きスイッチが押され、追い焚き要求が出されると（Ｓ２）、ステップＳ３において、給湯号数Ｑ１が上記（１）式又は比例弁電流値から求められる。このとき、給湯要求号数Ｇs を演算してもよい。給湯中は、給湯温度Ｔo が給湯設定温度Ｔs に制御されているので、給湯号数Ｇ１と給湯要求号数Ｇs は一致する。
【００７３】
そして、求められた給湯号数Ｇ１と給湯設定温度Ｔs 、さらには上述した方法により求められる浴槽水温Ｔy と循環流量Ｑ２の図３に示した関係から風呂追い焚きの実行の可否を判断する（Ｓ４）。
【００７４】
ステップＳ４において、風呂追い焚きが許可された場合は、比例弁６の開度がさらに所定開度に開けられるとともに循環ポンプ２１が駆動されて風呂追い焚きが開始され、同時使用状態となる（Ｓ５）。また、ステップＳ４において、風呂追い焚きが禁止された場合は、風呂追い焚き待機状態となる（Ｓ６）。そして、給湯が終了した後（Ｓ７）、風呂追い焚き指令がまだ出されているときは（Ｓ８）、風呂追い焚きが開始される（Ｓ９）。風呂追い焚き指令が切られている場合は、燃焼が停止される（Ｓ１０）。
【００７５】
このように、浴槽水温Ｔy が高い場合、又は循環流量Ｑ２が少ない場合は、風呂追い焚き号数が小さくて済むので、給湯号数Ｇ１が増加する。従って、給湯要求号数Ｇs が大きい場合であっても、給湯温度を十分確保しつつ、同時に風呂追い焚きを行うことができ、風呂追い焚きの要求から完了までの時間を短縮することができる。
【００７６】
これとは逆に、浴槽水温Ｔy が低い場合、又は循環流量Ｑ２が多い場合は、風呂追い焚き号数が大きくなり、給湯号数が減少する。この場合には、風呂追い焚きを待機状態にすることで、給湯温度が設定温度より低下するのを防止することができる。
【００７７】
また、本発明の別の実施の形態においては、上記ステップＳ４において、追い焚き実行の可否を判断する代わりに、循環ポンプ２１のデューティ比Ｄを演算してもよい。図６は、この本発明の別の実施の形態のフローチャートの例である。図５においては、図５のステップＳ４に代わって、ステップＳ４１及びＳ４２が実行される。即ち、ステップＳ３で求められた給湯号数と給湯設定温度Ｔs 、さらには、浴槽水温Ｔy と循環流量Ｑ２に基づいて、循環ポンプ２１のデューティ比が演算される（Ｓ４１）。デューティ比は、循環ポンプを駆動することにより風呂追い焚き路２０内の水が得る熱量（風呂追い焚き号数）によって減少する給湯号数Ｇ１が給湯要求号数Ｇs を下回らないように設定される。
【００７８】
具体的には、給湯要求号数Ｇs が小さいほど、また、浴槽水温が高いほど、デューティ比は大きくなる。例えば、最大号数Ｇmax が２４号、給湯要求号数Ｇsが２０号であるとき、風呂追い焚きに消費できる風呂追い焚き号数Ｇ２は、４号である。このとき、デューティ比は、浴槽水温Ｔy と循環流量Ｑ２から、風呂追い焚き号数が４号になるようにデューティ比Ｄを演算する。なお、デューティ比を１００％にしても、上記風呂追い焚き号数に及ばない場合は、デューティ比Ｄは１００％に設定される。
【００７９】
デューティ比Ｄが演算されると、ステップＳ４２において、求められたデューティ比が所定値以上であるか否かが判断される。これは、デューティ比Ｄが所定値より小さいと、循環ポンプ２１の回転数が低すぎ、循環ポンプ２１が停止する可能性があるからである。従って、デューティ比が所定値より小さい場合は、ステップＳ６に進み、風呂追い焚き待機状態となる。また、デューティ比Ｄが所定以上の場合は、ステップＳ５に進み、風呂追い焚きが開始され、同時使用状態となる。
【００８０】
このように、デューティ比Ｄは、浴槽水温Ｔy 及び／又は循環流量Ｑ２に応じて設定されるので、給湯温度の低下を招くことなく、燃焼装置が有している燃焼能力を最大限に生かして、風呂追い焚きのための熱量が与えられるので、風呂追い焚き時間を短縮することができる。
【図面の簡単な説明】
【００８１】
【図１】一缶二水路式燃焼装置の概略構成図である。
【図２】熱交換器１の断面を示す図である。
【図３】風呂追い焚きの可否を判断を行うための図である。
【図４】循環流量Ｑ２の推定方法を説明するための図である
【図５】本発明の実施の形態の風呂追い焚き制御のフローチャートである。
【図６】本発明の別の実施の形態の風呂追い焚き制御のフローチャートである。
【符号の説明】
【００８２】
１ 熱交換器
１０ 給湯路
２０ 風呂追い焚き路
２１ 循環ポンプ
２３ 浴槽水温センサ
３０ 制御部
３１ リモコン
【図１】
2006250531.tif 000003
【図２】
2006250531.tif 000004
【図３】
2006250531.tif 000005
【図４】
2006250531.tif 000006
【図５】
2006250531.tif 000007
【図６】
2006250531.tif 000008